(57)【要約】    【課題】  本発明は、ブロアを利用した撮像素子の清掃に不慣れなユーザであっても、ブロアのノズルの先端を撮像素子に接触させることなく、撮像素子に付着したゴミや埃を簡易に除去し、撮影した画像へのゴミ等の写り込みを目立たないように改善することができるデジタルカメラ用ブロア補助器具を提供する。    【解決手段】  ブロア１を補助するためのブロア補助器具２は、円柱状、円筒状または棒状の樹脂で構成され、ユーザが把持するために一定の長さを有するブロア補助器具本体２ａと、ブロアノズル１ｂを差し込んでスライドさせることが可能なブロアノズル挿入穴２ｂと、ブロアノズル挿入穴２ｂにブロア１を差し込んだ状態でブロア補助器具本体２ａをレンズ取り付け部マウント面に接触させてもブロアノズル１ｂの先端が撮像素子部３ａに触れることなく近接させて位置決めすることが可能な厚みとを有する。【選択図】      図３
2006109261.tif 000002
【特許請求の範囲】
【請求項１】
デジタル一眼レフカメラ内の撮像素子の清掃時に使用されるブロアを補助するためのブロア補助器具において、
把持するために一定の長さを有する本体と、
前記ブロアのノズルを差し込んでスライドさせることが可能な穴と、
前記デジタル一眼レフカメラのレンズ取り付け部マウント上を転がることが可能な曲面と、
前記穴にブロアを差し込んだ状態で前記本体を前記レンズ取り付け部マウント面に接触させても前記ブロアのノズルの先端が前記撮像素子に触れることなく近接させて位置決めすることが可能な厚み部とを備えることを特徴とするブロア補助器具。
【請求項２】
前記本体は、前記曲面を含む円柱状、円筒状または棒状に構成されていることを特徴とする請求項１記載のブロア補助器具。
【請求項３】
前記穴は、前記本体上に設けられた長穴であることを特徴とする請求項１又は２記載のブロア補助器具。
【請求項４】
前記長穴の長手方向の幅は、前記デジタル一眼レフカメラにおけるミラーボックスの幅より短く設定されていることを特徴とする請求項３記載のブロア補助器具。
【請求項５】
前記本体は、前記長穴の周囲に前記ノズルを差し込んだブロアをスライドさせるための平滑な面を有することを特徴とする請求項３又は４記載のブロア補助器具。
【請求項６】
前記本体は、前記ブロアのノズルの先端を前記撮像素子に接触させないように、前記平滑な面に当該本体の厚みを調整するための補助部材が搭載可能に構成されていることを特徴とする請求項５記載のブロア補助器具。
【請求項７】
デジタル一眼レフカメラ内の撮像素子の清掃時に使用されるブロアと該ブロアを補助する補助器具とから成る清掃具において、
前記ブロアは、空気を吐出するノズルを備え、
前記補助器具は、把持するために一定の長さを有する本体と、
前記ブロアのノズルを差し込んでスライドさせることが可能な穴と、
前記デジタル一眼レフカメラのレンズ取り付け部マウント上を転がることが可能な曲面とを備え、
前記穴に前記ブロアを差し込んだ際に前記ブロアと前記補助器具の接触部が接した状態で前記本体を前記レンズ取り付け部マウント面に接触させても前記ブロアのノズルの先端が前記撮像素子に触れることなく近接させて位置決めすることを可能とする清掃具。
【発明の詳細な説明】
【技術分野】
【０００１】
本発明は、デジタル一眼レフカメラ内の撮像素子の清掃時に使用されるブロアを補助するためのデジタルカメラ用ブロア補助器具及び清掃具に関する。
【背景技術】
【０００２】
近年、デジタルカメラの普及と共にデジタル一眼レフカメラの低価格化が進み、専門的な知識を持たないユーザがデジタル一眼レフカメラを使用するケースが増えてきている。
【０００３】
一般に普及しているデジタルカメラでは、カメラ本体が密閉されているため撮像素子にゴミが付着することは殆どないが、デジタル一眼レフカメラでは、レンズの取り外しが可能なことからカメラ本体内が剥き出しになり、レンズ交換の際に隙間からカメラ本体内にゴミや埃が進入し、撮像素子に付着することがある。
【０００４】
撮像素子にゴミ等が付着した状態で写真撮影を行うと、撮影した画像にゴミが写り込んでしまうため、撮像素子に付着したゴミ等を除去するか、画像修正用ソフトウェア等を利用して画像の修正を行う必要がある。画像修正用ソフトウェアを利用して修正を行う場合、大量に撮影が行われたときは、画像の修正を各画像に対して行わなければならず、ユーザの負荷が増大する。
【０００５】
一方、撮像素子に付着したゴミ等を除去する場合は、撮像素子に触れて清掃をする必要があり、不慣れなユーザが行うと撮像素子を壊してしまうおそれがある。そのため、不慣れなユーザは、撮像素子にゴミが付着したときは、カメラメーカー・販売会社のサービスセンターにカメラを持ち込んで、プロのサービスマンにゴミの清掃・除去を依頼している。
【０００６】
そのため、低価格なデジタル一眼レフカメラの普及も手伝って、撮像素子の清掃目的でサービスセンターにカメラが持ち込まれるケースが急増してきたため、サービスセンターにおける清掃作業の負担が増大するようになってきている。
【０００７】
そこで、従来から撮像素子に付着したゴミ等を簡易に除去する清掃方法としてブロアを用いる方法がある。これは、ブロアの吐出口（ノズル）を撮像素子に近づけて空気を吹きかけることによりゴミを吹き飛ばすものである。この方法によれば、撮像素子に触れることなくゴミを除去することができるので、撮像素子に触れて清掃することに抵抗があるユーザにとって便利な清掃方法である。
【０００８】
また、特許文献１には、撮像素子部の密閉部が小さく済むように構成された簡単で小型な防塵機構を有し、カメラの組立て後に侵入する塵挨に対しても防塵効果のあるカメラを提供する技術が開示されている。この技術によれば、振動により撮像素子の全面に設けられた光学素子に付着したゴミや埃を除去することができる。
【特許文献１】特開２００２−２０４３７９号公報
【発明の開示】
【発明が解決しようとする課題】
【０００９】
しかしながら、上記ブロアによる清掃方法では、ブロアのノズルをできるだけ撮像素子に近づけて空気を力強く吹きかけないとうまくゴミや埃を除去することができないため、不慣れなユーザは、ブロアのノズルと撮像素子との接触をおそれて該ノズルを撮像素子に近づけることができないか、またはできたとしてもノズルを撮像素子に接触しないように気を付けながらブロアを握る必要があるため力強く空気を吹きかけることができず、当該ユーザにとって必ずしも有効なものとはいえない。このようなユーザは、結局、ゴミ等が撮像素子に付着するたびにサービスセンターへ持ち込むようになり、サービスセンターに負担や費用等がかかってしまうことになる。
【００１０】
また、上記特許文献１に記載された技術では、当該機能を有するカメラでなければ撮像素子に付着したゴミや埃を除去できないので、別の方法で清掃するか若しくはサービスセンターに持ち込まなければならない。
【００１１】
本発明は、上記課題を解決するために成されたものであり、ブロアを利用した撮像素子の清掃に不慣れなユーザであっても、ブロアのノズルの先端を撮像素子に接触させることなく、撮像素子に付着したゴミや埃を簡易に除去し、撮影した画像へのゴミ等の写り込みを目立たないように改善することができるデジタルカメラ用ブロア補助器具及び清掃具を提供することを目的とする。
【課題を解決するための手段】
【００１２】
上記目的を達成するために、請求項１記載のブロア補助器具は、デジタル一眼レフカメラ内の撮像素子の清掃時に使用されるブロアを補助するためのブロア補助器具において、把持するために一定の長さを有する本体と、前記ブロアのノズルを差し込んでスライドさせることが可能な穴と、前記デジタル一眼レフカメラのレンズ取り付け部マウント上を転がることが可能な曲面と、前記穴にブロアを差し込んだ状態で前記本体を前記レンズ取り付け部マウント面に接触させても前記ブロアのノズルの先端を前記撮像素子に触れることなく近接させて位置決めすることが可能な厚み部とを備えることを特徴とする。
【００１３】
上記目的を達成するために、請求項７記載の清掃具は、デジタル一眼レフカメラ内の撮像素子の清掃時に使用されるブロアと該ブロアを補助する補助器具とから成る清掃具において、前記ブロアは、空気を吐出するノズルを備え、前記補助器具は、把持するために一定の長さを有する本体と、前記ブロアのノズルを差し込んでスライドさせることが可能な穴と、前記デジタル一眼レフカメラのレンズ取り付け部マウント上を転がることが可能な曲面とを備え、前記穴に前記ブロアを差し込んだ際に前記ブロアと前記補助器具の接触部が接した状態で前記本体を前記レンズ取り付け部マウント面に接触させても前記ブロアのノズルの先端が前記撮像素子に触れることなく近接させて位置決めすることを可能とする。
【発明の効果】
【００１４】
本発明によれば、デジタル一眼レフカメラ内の撮像素子の清掃時に使用されるブロアを補助するためのブロア補助器具が、把持するために一定の長さを有する本体と、ブロアのノズルを差し込んでスライドさせることが可能な穴と、デジタル一眼レフカメラのレンズ取り付け部マウント上を転がることが可能な曲面と、穴にブロアを差し込んだ状態で本体をレンズ取り付け部マウント面に接触させてもブロアのノズルの先端を撮像素子に触れることなく近接させて位置決めことが可能な厚み部とを備えるので、ブロアのノズルをできるだけ撮像素子に近づけることが可能で、且つノズルが撮像素子に接触するおそれがなくブロアを握ることができるため撮像素子全体に力強くブロアの吐出空気を吹きかけることができ、ブロアを利用した撮像素子の清掃に不慣れなユーザであっても、撮像素子に付着したゴミや埃を簡易に除去し、撮影した画像へのゴミ等の写り込みを目立たないように改善することができる。
【００１５】
また、本発明によれば、デジタル一眼レフカメラ内の撮像素子の清掃時に使用されるブロアと該ブロアを補助する補助器具とから成る清掃具において、補助器具が、把持するために一定の長さを有する本体と、ブロアのノズルを差し込んでスライドさせることが可能な穴と、デジタル一眼レフカメラのレンズ取り付け部マウント上を転がることが可能な曲面とを備え、穴にブロアを差し込んだ際にブロアと補助器具の接触部が接した状態で本体をレンズ取り付け部マウント面に接触させてもブロアのノズルの先端が撮像素子に触れることなく近接させて位置決めすることを可能とするので、ブロアのノズルをできるだけ撮像素子に近づけることが可能で、且つノズルが撮像素子に接触するおそれがなくブロアを握ることができるため撮像素子全体に力強くブロアの吐出空気を吹きかけることができ、ブロアを利用した撮像素子の清掃に不慣れなユーザであっても、撮像素子に付着したゴミや埃を簡易に除去し、撮影した画像へのゴミ等の写り込みを目立たないように改善することができる。
【発明を実施するための最良の形態】
【００１６】
以下、本発明の実施の形態を図面を参照して詳細に説明する。
【００１７】
図１は、本発明の実施の形態に係るデジタルカメラ用ブロア補助器具を含むクリーニングセットの全体構成を示す概略図である。
【００１８】
図１において、本クリーニングセット（清掃具）は、デジタル一眼レフカメラ内の撮像素子に付着したゴミや埃を空気の吐出によって吹き飛ばして除去するものであり、公知のブロア１（例えば、キング製ジャンボブロア等）と、ブロア１を補助するためのデジタルカメラ用ブロア補助器具（以下、単に「ブロア補助器具」と呼ぶ。）２とで構成される。
【００１９】
ブロア１は、ユーザがブロア本体１ａを握ることで吐出口であるブロアノズル１ｂの先端から空気が吹き出すものである。
【００２０】
ブロア補助器具２は、ユーザが当該器具を把持するために一定の長さを有するブロア補助器具本体２ａと、ブロアノズル１ｂを差し込んでスライドさせることが可能なブロアノズル挿入穴２ｂとを備える。
【００２１】
図２（ａ）〜図２（ｃ）は、図１のブロア補助器具２の詳細を示す外観図、図３は図１のクリーニングセットによる撮像素子の清掃時の状態を示す図である。
【００２２】
ブロア補助器具２は、円柱状、円筒状または棒状の樹脂（例えば、アクリルやポリカーボネート等）で構成されるものが好ましい。これは、図３に示すように、交換レンズが外されたデジタル一眼レフカメラ３のレンズ取り付け部マウント３ｂにブロア補助器具２が直接接触して使用されることから、当該レンズ取り付け部マウント３ｂをブロア補助器具２により傷つけないようにするためである。なお、レンズ取り付け部マウント３ｂは、ボディマウント、レンズマウントと呼ばれることもある。
【００２３】
また、ブロア補助器具２は、デジタル一眼レフカメラ３のレンズ取り付け部マウント３ｂに接触する面が曲面で構成されるものが好ましく、これにより、ブロア補助器具２が図３のＸ方向に転がることが可能となる。すなわち、ブロアノズル１ｂをブロアノズル挿入穴２ｂに差し込んだ状態でブロア１を傾けることが容易になり、ユーザがクリーニングセットを利用して撮像素子部３ａを清掃する際に、ブロアノズル１ｂを図３のｘ方向（撮像素子部３ａの上下方向）に移動させ易くなる。これにより、ブロアノズル１ｂの先端が撮像素子部３ａの上下方向の端面に近接可能になり、撮像素子部３ａの端面に付着したゴミ等を吹き飛ばしやすくなる。
【００２４】
また、ブロア補助器具２の本体が曲面で構成されることにより、レンズ取り付け部マウント３ｂから突き出ているネジ山があってもブロア補助器具２がレンズ取り付け部マウント３ｂ面上をスムーズに移動することが可能となる。そのため、ブロア補助器具２をレンズ取り付け部マウント３ｂ面上を移動させ、且つブロアノズル１ｂの先端を撮像素子部３ａの上下方向に移動させることにより、単純にブロアノズル１ｂの先端を撮像素子部３ａの上下方向に移動させるよりも、ブロアノズル１ｂの先端を撮像素子部３ｂに近づけることができるようになるため、撮像素子部３ａの端面に付着したゴミ等をより吹き飛ばしやすくなる。
【００２５】
ブロアノズル挿入穴２ｂは、長穴であることが好ましい。これは、ユーザがクリーニングセットを利用して撮像素子部３ａを清掃する際に、ブロア補助器具２自体を動かすことなく、ブロアノズル１ｂをブロアノズル挿入穴２ｂに差し込んだ状態でスライドさせて、ブロアノズル１ｂを図３のｙ方向（撮像素子部３ａの左右方向）に移動させ易くなる。これにより、ブロアノズル１ｂの先端が撮像素子部３ａの左右方向の端面に近接可能になり、撮像素子部３ａの端面に付着したゴミ等を吹き飛ばしやすくなる。
【００２６】
ブロアノズル挿入穴２ｂの長手方向の幅ａは、デジタル一眼レフカメラ３のミラーボックス部３ｃの横幅よりも短く、撮像素子部３ａの横幅に合わせて設定されることが好ましい。幅ａがデジタル一眼レフカメラ３のミラーボックス部３ｃの横幅よりも短い方が好ましいのは、ブロアノズル１ｂがブロアノズル挿入穴２ｂ内をスライドして移動する際に、ブロアノズル１ｂとミラーボックス部３ｃ内の壁面との接触を回避するためである。また、幅ａが撮像素子部３ａの横幅にあわせて設定されることが好ましいのは、ブロアノズル１ｂをブロアノズル挿入穴２ｂに差し込んだ状態でブロア１をスライドさせるだけで、撮像素子部３ａの端面に空気を吹きかけることができるからである。
【００２７】
図２（ｂ）及び図２（ｃ）において、ブロアノズル挿入穴２ｂにおけるブロア補助器具２の本体の厚みｂは、クリーニングセットをデジタル一眼レフカメラ３上にセットした状態（図３参照）で、ブロアノズル１ｂの先端と撮像素子部３ａとが接触せず、且つ近接させて位置決めすることが可能に設定されることが好ましい。撮像素子部３ａとブロアノズル１ｂの先端とが離れていると、撮像素子部３ａに付着したゴミ等を有効に吹き飛ばしにくくなる。一方、互いに接触すると撮像素子部３ａを壊すおそれがある。
【００２８】
また、ブロアノズル挿入穴２ｂにおけるブロア補助器具２の本体の厚みｂは、レンズ取り付け部マウント面から撮像素子面までの奥行きがデジタル一眼レフカメラの機種によって異なる場合があるため、各機種に対応すべくブロアノズル１ｂの先端が撮像素子部３ａに接触しないように設定されることが好ましい。
【００２９】
ブロア補助器具本体２ａは、ユーザがブロア補助器具２を把持するためにブロアノズル挿入穴２ｂからブロア補助器具２の一方の端まで一定の長さを有するが、ブロアノズル挿入穴２ｂから他方の端までの長さは、上記クリーニングセットをデジタル一眼レフカメラ３のグリップ部３ｄに干渉しない長さに設定されることが好ましい。
【００３０】
図４（ａ）及び図４（ｂ）、図５（ａ）及び図５（ｂ）は、ブロア補助器具２の他の実施の形態を示す図である。
【００３１】
図４（ａ）及び図４（ｂ）において、ブロア補助器具４には、上記ブロア補助器具２と異なり、ブロアノズル挿入穴２ｂ周囲のブロア１に接触する面にブロア接触部４ａが設けられている。
【００３２】
ブロア接触部４ａは平滑であることが好ましい。これは、ブロアノズル１ｂをブロアノズル挿入穴２ｂに差し込んだ状態で、ブロア１をスライドさせて撮像素子部３ａの清掃作業が行われることから、ブロア接触部４ａが平滑でないと接触面の摩擦により互いに削られて、削り粉が撮像素子部３ａ上に落下するおそれがあり、これを防止するためである。また、ブロア接触部４ａを平滑にすることで、ブロア１がブロア接触部４ａ上をスムーズにスライド可能になる。
【００３３】
ブロアノズル挿入穴２ｂ周囲におけるブロア補助器具４本体の厚みｃは、上述したブロア補助器具２の本体の厚みｂと同様に、ブロア１とブロア補助器具４とで構成されたクリーニングセットをデジタル一眼レフカメラ３にセットした状態で、ブロアノズル１ｂの先端が撮像素子部３ａに触れることなく近接させるように設定されることが好ましい。
【００３４】
図５（ａ）及び図５（ｂ）において、スペーサ６（補助部材）は、ブロアノズル挿入穴２ｂに差し込まれたブロアノズル１ｂの先端と撮像素子部３ａとの間隔を調整するために用いられる。
【００３５】
これは、ブロアノズル挿入穴２ｂ周囲におけるブロア補助器具５本体の厚みｃが、ブロア１とブロア補助器具５とで構成されたクリーニングセットをデジタル一眼レフカメラ３にセットした際に、ブロアノズル１ｂの先端と撮像素子部３ａとが接触することなく、且つ近接させて位置決めすることが可能に設定されているが、当該クリーニングセットが各社製のデジタル一眼レフカメラやレンズ取り付け部マウント面から撮像素子面までの奥行きが異なるデジタル一眼レフカメラに利用された場合に、ブロアノズル１ｂの先端と撮像素子部３ａとが接触するおそれがあることから、それに対応するためである。
【００３６】
スペーサ６は、ブロアノズル挿入穴２ｂと同じ形状の長穴６ａと、ブロア接触部５ａに接触する面側に凸部６ｂ，６ｃとを有し、ブロア接触部５ａ上に設けられた凹部５ｂ，５ｃに嵌合するように構成されている。凸部６ｂ，６ｃと凹部５ｂ，５ｃとが嵌合することでスペーサ６を位置決めすることができる。なお、これら凸部６ｂ，６ｃ及び凹部５ｂ，５ｃは、図示の形態に限らず、他の形態であってもよい。
【００３７】
スペーサ６の厚みｄは、ブロアノズル挿入穴２ｂ周囲におけるブロア補助器具５本体の厚みｃと共に、ブロアノズル挿入穴２ｂに差し込まれたブロアノズル１ｂの先端と撮像素子部３ａとが接触せず、且つ近接するように設定されていることが好ましい。そのため、スペーサ６の厚みｄのサイズは１つのみでなく、デジタル一眼レフカメラの機種毎に複数設定されていてもよい。
【００３８】
上記実施の形態によれば、ブロア１を補助するためのブロア補助器具２が、円柱状、円筒状または棒状の樹脂で構成され、ユーザが把持するために一定の長さを有するブロア補助器具本体２ａと、ブロアノズル１ｂを差し込んでスライドさせることが可能なブロアノズル挿入穴２ｂと、ブロアノズル挿入穴２ｂにブロア１を差し込んだ状態でブロア補助器具本体２ａをレンズ取り付け部マウント面に接触させてもブロアノズル１ｂの先端が撮像素子部３ａに触れることなく近接させて位置決めすることが可能な厚みとを有し、ブロアノズル１ｂの先端を撮像素子部３ａに近接させて位置決めするので、ブロアノズル１ｂをできるだけ撮像素子部３ａに近づけることが可能で、且つブロアノズル１ｂが撮像素子部３ａに接触するおそれなくブロア１を握ることができるため撮像素子部全体に力強くブロア１の吐出空気を吹きかけることができ、ブロア１を利用した撮像素子部３ａの清掃に不慣れなユーザであっても、ブロアノズル１ｂの先端を撮像素子部３ａに接触させることなく、撮像素子部３ａに付着したゴミや埃を簡易に除去し、撮影した画像へのゴミ等の写り込みを目立たないように改善することができる。
【００３９】
上記実施の形態では、レンズ取り付け部マウント３ｂに接触する面を曲面で構成すべくブロア補助器具２，４，５が円柱状、円筒状または棒状の樹脂で構成されているが、これに限らず、レンズ取り付け部マウント３ｂとの接触面が曲面であれば他の形状で構成されていてもよい。
【００４０】
また、ブロア補助器具２，４，５が静電気を蓄電し易い部材で構成されている場合は、吹き飛ばされた埃等を吸着することができ、撮像素子部３ａへの再付着を防止することが可能になる。
【図面の簡単な説明】
【００４１】
【図１】本発明の実施の形態に係るデジタルカメラ用ブロア補助器具を含むクリーニングセットの全体構成を示す概略図である。
【図２】図１のブロア補助器具２の詳細を示す外観図であり、（ａ）は平面図、（ｂ）は側面図、（ｃ）は縦断面図である。
【図３】図１のクリーニングセットを用いた清掃時の状態を示す図である。
【図４】ブロア補助器具２の他の実施の形態を示す図であり、（ａ）は部分斜視図、（ｂ）は部分側面図である。
【図５】ブロア補助器具２の更に他の実施の形態を示す図であり、（ａ）は部分斜視図、（ｂ）は部分側面図である。
【符号の説明】
【００４２】
１  ブロア
１ａ  ブロア本体
１ｂ  ブロアノズル
２，４，５  デジタルカメラ用ブロア補助器具
２ａ  ブロア補助器具本体
２ｂ  ブロアノズル挿入穴
３  デジタル一眼レフカメラ
３ａ  撮像素子部
３ｂ  レンズ取り付け部マウント
３ｃ  ミラーボックス部
３ｄ  グリップ部
【図１】
2006109261.tif 000003
【図２】
2006109261.tif 000004
【図３】
2006109261.tif 000005
【図４】
2006109261.tif 000006
【図５】
2006109261.tif 000007